(57)【要約】      （修正有）【課題】発光可能な転送ケーブル構造を提供する。【解決手段】転送ケーブル構造１は、ケーブル１２と第１コネクタ１１と第２コネクタ１３と制御回路と発光回路とを含む。ケーブル１２内には、少なくとも１つの導線を設ける。第１コネクタ１１は、本体部１１１と接続部１１２とを備え、本体部１１１がケーブル１２の一端に接続される。第２コネクタ１３は、ケーブル１２の他端に接続される。制御回路は、本体部１１１に設けられ、少なくとも１つの導線に電気的に接続し、導線の等価静電容量値に基づき発光信号を生成する。発光回路は、本体部１１１に設けられ、制御回路にカップリングすることで、発光信号によって光を発する。【選択図】図１
0003213161.tif 000002
【実用新案登録請求の範囲】
【請求項１】
少なくとも１つの導線を備えるケーブルと、
本体部と接続部とを備え、前記本体部が前記ケーブルの一端に接続される第１コネクタと、
前記ケーブルの他端に接続される第２コネクタと、
前記本体部に設けられ、前記少なくとも１つの導線に電気的に接続することで、前記少なくとも１つの導線の等価静電容量値に基づき発光信号を生成する制御回路と、
前記本体部に設けられ、前記制御回路にカップリングすることで、前記発光信号によって光を発する発光回路と、
を含むことを特徴とする転送ケーブル構造。
【請求項２】
前記ケーブル内には、線状の導光体を更に設け、
前記線状の導光体は、前記発光回路に接続し、前記第１コネクタから前記第２コネクタまで延伸することを特徴とする請求項１に記載の転送ケーブル構造。
【請求項３】
前記第１コネクタ、前記ケーブル及び前記第２コネクタは、透光素材を含むことを特徴とする請求項２に記載の転送ケーブル構造。
【請求項４】
前記少なくとも１つの導線の前記等価静電容量がデフォルトの静電容量値より大きくなった時、前記制御回路は、前記発光信号を生成することを特徴とする請求項１又は２に記載の転送ケーブル構造。
【請求項５】
前記制御回路は、充放電回路とカウンターとコンパレーターとを含み、前記充放電回路が前記少なくとも１つの導線にカップリングされ、前記少なくとも１つの導線の前記等価静電容量値によって充放電を行い、前記カウンターが前記充放電回路の充放電回数をカウントすることで、カウント値を生成し、前記コンパレーターが前記カウント値とデフォルト値を比較することで、前記発光信号を生成することを特徴とする請求項１又は２に記載の転送ケーブル構造。
【請求項６】
前記第１コネクタは、前記接続部を通じて電源装置に接続され、前記第２コネクタが受電装置に接続されることを特徴とする請求項１又は２に記載の転送ケーブル構造。
【請求項７】
前記第１コネクタは、前記接続部を通じて受電装置に接続され、前記第２コネクタが電源装置に接続されることを特徴とする請求項１又は２に記載の転送ケーブル構造。
【請求項８】
前記発光回路は、デフォルト時間内に常時発光又は前記デフォルト時間内に点滅発光することを特徴とする請求項１又は２に記載の転送ケーブル構造。
【考案の詳細な説明】
【技術分野】
【０００１】
本考案は、転送ケーブル構造に関し、特に、発光可能な転送ケーブル構造に関する。
【背景技術】
【０００２】
ユニバーサル・シリアル・バス（ＵＳＢ）は、入出力インターフェースの技術規格で、非常に幅広く応用されている。ＵＳＢ転送ケーブルを例にすると、ＵＳＢ転送ケーブルは、電源側のコネクタと装置側のコネクタとを備え、電源側のコネクタを例えば変圧器又はコンピュータといった給電装置に接続でき、装置側のコネクタを例えばカメラ、携帯電話、タブレット或いは電子手帳（ＰＤＡ）といった受電装置に接続できる。給電装置及び受電装置として各々パソコン及び携帯電話を例とすると、前記２つのコネクタを各々パソコン及び携帯電話に接続した時、ＵＳＢ転送ケーブルは、電源をパソコンから携帯電話に伝送できる以外に、携帯電話に保存してあるデータをコンピュータに伝送することもできるため、電源とデータの伝送を兼ね備えていることで、使用上においても非常に便利である。
【０００３】
しかしながら、ＵＳＢ転送ケーブルを照度が不足している環境に設ける場合、ユーザーは、装置側のコネクタを見つけにくい、又は装置側のコネクタを見つけた後でも、装置側のコネクタを正確に受電装置のポート内に挿入できない場合がある。例えば、真っ暗な中で装置側のコネクタの正面或いは裏面を識別できないことで、何度にも渡って試してから、スムーズに装置側のコネクタを受電装置に挿入することができる。挿入を間違えるとＵＳＢ転送ケーブルが正常に稼働しなくなる。
【考案の概要】
【考案が解決しようとする課題】
【０００４】
これに鑑み、本考案は、転送ケーブル構造を提供する。
【課題を解決するための手段】
【０００５】
一実施例において、転送ケーブル構造は、ケーブルと第１コネクタと第２コネクタと制御回路と発光回路とを含む。ケーブル内には、少なくとも１つの導線を設ける。第１コネクタは、本体部と接続部とを備え、本体部がケーブルの一端に接続される。第２コネクタは、ケーブルの他端に接続される。制御回路は、本体部に設けられ、前記導線に電気的に接続され、導線の等価静電容量値に基づき発光信号を生成する。発光回路は、本体部に設けられ、制御回路にカップリングすることで、発光信号によって光を発する。
【０００６】
一実施例において、前記ケーブル内には線状の導光体を更に設け、線状の導光体が発光回路に接続し、第１コネクタから第２コネクタまで延伸する。
【０００７】
一実施例において、前記第１コネクタ、ケーブル及び第２コネクタは、透光素材を含む。
【０００８】
一実施例において、前記導線の等価静電容量がデフォルトの静電容量値より大きくなった時、制御回路は、発光信号を生成する。
【０００９】
一実施例において、前記制御回路は、充放電回路とカウンターとコンパレーターとを含み、充放電回路が前記導線にカップリングされ、導線の等価静電容量値によって充放電を行い、カウンターが充放電回路の充放電回数をカウントすることで、カウント値を生成し、コンパレーターがカウント値とデフォルト値を比較することで、発光信号を生成する。
【００１０】
一実施例において、前記第１コネクタは、接続部を通じて電源装置に接続され、第２コネクタが受電装置に接続される。
【００１１】
一実施例において、前記第１コネクタは、接続部を通じて受電装置に接続され、第２コネクタが電源装置に接続される。
【００１２】
一実施例において、前記発光回路は、デフォルト時間内に常時発光又は前記デフォルト時間内に点滅発光する。
【考案の効果】
【００１３】
上記を総合すると、本考案に係る転送ケーブル構造の一実施例によれば、転送ケーブル構造の一端のコネクタ内に制御回路及び発光回路を設けており、ユーザーがケーブル又はケーブル両端のコネクタに接触した時、制御回路は発光回路を駆動して発光させることができる。よって、照度が不足している環境においても、ユーザーは、前記光源を通じて装置側のコネクタを見つけ出すことができ、また装置側のコネクタを電子装置の対応ポート内に正確に挿入できるため、転送ケーブル構造の使用利便性を向上できる。
【図面の簡単な説明】
【００１４】
【図１】本考案の一実施態様に係る転送ケーブル構造の外観を示す模式図である。
【図２】図１の転送ケーブル構造の使用を示す模式図である。
【図３】図１の転送ケーブル構造の第１コネクタの一実施態様の構造を示す模式図である。
【図４】図１の転送ケーブル構造の第１コネクタの別の実施態様の構造を示す模式図である。
【図５】図３及び図４の制御回路の一実施態様の機能ブロック図である。
【考案を実施するための形態】
【００１５】
図１は、本考案の一実施態様に係る転送ケーブル構造１の外観を示す模式図である。図２は、図１の転送ケーブル構造１の使用を示す模式図である。図３は、図１の転送ケーブル構造１の第１コネクタ１１の一実施態様の構造を示す模式図である。ここで、図１乃至図３は、転送ケーブル構造１をＵＳＢ転送ケーブルの例とし、なお第１コネクタ１１及び第２コネクタ１３が、各々電源側のコネクタ及び装置側のコネクタを例とする。
【００１６】
図１乃至図３を併せて参照すると、転送ケーブル構造１は、第１コネクタ１１とケーブル１２と第２コネクタ１３と制御回路１４と発光回路１５とを含む。ケーブル１２の第１端１２Ａは、第１コネクタ１１に接続され、ケーブル１２の第２端１２Ｂが第２コネクタ１３に接続される。
【００１７】
図３に示すように、ケーブル１２の内部には、少なくとも１つの導線１２１を設け、導線１２１がＵＳＢ転送ケーブル内の電源線、データ線又はアース線とすることができるものとするが、本考案はこれに限られるものではない。導線１２１は、第１コネクタ１１と第２コネクタ１３の間に延伸し、データ或いは電源を第１コネクタ１１と第２コネクタ１３の間において伝達する。
【００１８】
第１コネクタ１１は、本体部１１１と接続部１１２とを備える。本体部１１１は、ケーブル１２の第１端１２Ａに接続される。本体部１１１内には、制御回路１４及び発光回路１５を設ける。図２に示すように、第１コネクタ１１の接続部１１２は、例えば変圧器又はコンピュータといった給電装置２のＵＳＢポート内に挿入されることで、変圧器又はコンピュータからの電源供給を受けることができる。
【００１９】
ここで、制御回路１４は、接続部１１２中の電源線にカップリングすることで、制御回路１４の稼働に必要な電源を供給できる。制御回路１４は、ケーブル１２内の導線１２１に接続される。導線１２１は、等価静電容量値を有し、制御回路１４が導線１２１の等価静電容量値に基づき発光信号を生成する。制御回路１４で生成した発光信号を受信するため、発光回路１５は、制御回路１４に接続され、発光信号によって発光して光を発生する。実装上、発光回路１５は、発光ダイオード（ＬＥＤ）を含むことができる。
【００２０】
若干の実施態様において、制御回路１４は、導線１２１の等価静電容量値の変化の有無を検出でき、前記変化がデフォルト値より大きくなった時、導線１２１が物体の接触を受け、或いは物体が導線１２１に接近したことで導線１２１の等価静電容量値に変化したことに至ることを示す。この場合、制御回路１４が発光回路１５を駆動して発光させる。
【００２１】
よって、従来技術に比べると、転送ケーブル構造１を照度が不足している環境内に設けたとしても、導線１２１が第１コネクタ１１と第２コネクタ１３の間に延伸しているため、ユーザーが第１コネクタ１１、ケーブル１２及び第２コネクタ１３のうちのいずれかの部位に接触、或いはユーザーが第１コネクタ１１、ケーブル１２及び第２コネクタ１３のうちのいずれかの部位に近づくだけで、制御回路１４が導線１２１の等価静電容量値の変化を検出して発光回路１５を駆動して発光させることができる。よって、ユーザーは、電源側のコネクタ箇所が提供した光源を通じて、装置側のコネクタとなる第２コネクタ１３を見つけ出すことができる。また、前記光源を介して第２コネクタ１３を電子機器の対応ポート内に挿入することで、データ又は電源を伝送できる。
【００２２】
実装上、図３では、制御回路１４及び発光回路１５が各々本体部１１１内の回路基板１１３の同一表面に半田付けされていることを例としているが、本考案はこれに限られるものではなく、制御回路１４及び発光回路１５を回路基板１１３の異なる表面にも半田付けできる。
【００２３】
図４は、図１の転送ケーブル構造１の第１コネクタ１１の別の実施態様の構造を示す模式図である。本実施態様において、図４に示すように、第１コネクタ１１は、装置側のコネクタとすることができ、すなわち、制御回路１４及び発光回路１５を装置側のコネクタに設けることもできる。この場合、導線１２１は、電源線とすることができ、制御回路１４が導線１２１にカップリングすることで、電源側のコネクタ（すなわち、第２コネクタ１３）からの電源供給を受けて稼働できる。導線１２１の等価静電容量値が変化した時、発光回路１５は、装置側コネクタ箇所において発光を行うことができ、ユーザーは更に光源の位置によって装置側のコネクタを見つけ出すことで、受電装置３に接続することもできる。別の若干の実施態様において、導線１２１が電源線でない場合、制御回路１４は、更に電源線に接続することで、電源側のコネクタからの電源供給を受けることができる。
【００２４】
若干の実施態様において、発光回路１５は、デフォルト時間内に常時発光できる。例えば１５秒とし、ユーザーが１５秒ごとに転送ケーブル構造１に接触して、発光回路に継続発光させ、転送ケーブル構造１に連続接触する必要がない。ここで、ユーザーは、十分な時間的余裕を持って第２コネクタ１３と受電装置３を接続させることができる。別の若干の実施態様において、発光回路１５は前記デフォルト時間内に点滅発光させることもできる。また、デフォルト時間の長さは、実際の需要に応じて増加又は減少させることができる。
【００２５】
若干の実施態様において、図３及び図４に示すように、ケーブル１２内には、線状の導光体１２２を更に設けることができる。線状の導光体１２２の数量は実際の需要に応じて調整できる。線状の導光体１２２の素材は、光ファイバーとすることができ、線状の導光体１２２が発光回路１５に接続して発光回路１５から発生した光を伝達する。線状の導光体１２２は、第１コネクタ１１から第２コネクタ１３に延伸し、光を第１コネクタ１１から第２コネクタ１３に伝達できる。ここで、第１コネクタ１１の接続部１１２、ケーブル１２及び第２コネクタ１３は、透光素材を含み、発光回路１５から発生された光を第１コネクタ１１、ケーブル１２及び第２コネクタ１３から出射させても遮蔽を受けない。従って、ユーザーに十分な光源を提供できる。
【００２６】
図５は、図３及び図４の制御回路１４の一実施態様の機能ブロック図である。実装上、図５を参照すると、制御回路１４は、カウンター１４１とコンパレーター１４２と充放電回路１４３とを含むことができる。充放電回路１４３は、導線１２１にカップリングされ、カウンター１４１が充放電回路１４３とコンパレーター１４２の間にカップリングされる。充放電回路１４３は、リアルタイム（ｒｅａｌ−ｔｉｍｅ）で導線１２１の等価静電容量値に基づいて充放電を行うことができる。カウンター１４１は、デフォルト時間内に充放電回路１４３の充放電回数をカウントし、なおこれをもってカウント値を出力できる。コンパレーター１４２は、カウンター１４１にカップリングされることで、カウンター１４１で生成したカウント値を受信する。コンパレーター１４２は、カウント値とデフォルト値を比較し、このデフォルト値はデフォルト静電容量値が対応する充放電回数に対応することで、導線１２１の等価静電容量値の変化の有無を判断する。従って、物体が導線１２１に接近して来たかどうかを判断する。例を挙げて説明すると、デフォルト値を５００とした例で、カウント値が５００より小さい時、例えば４７２の場合、導線１２１の等価静電容量値が触られたことで上昇したことにより、同一時間内の充放電回路１４３の充放電回数が下げられたことに至ることを示す。よって、コンパレーター１４２がカウント値とデフォルト値を比較した後、高電位となる発光信号を出力して、発光回路１５を発光させることができる。
【産業上の利用可能性】
【００２７】
上記を総合すると、本考案に係る転送ケーブル構造の一実施例によれば、転送ケーブル構造の一端のコネクタ内に制御回路及び発光回路を設けており、ユーザーがケーブル又はケーブル両端のコネクタに接触した時、制御回路は発光回路を駆動して発光させることができる。よって、照度が不足している環境においても、ユーザーは、前記光源を通じて装置側のコネクタを見つけ出すことができ、また装置側のコネクタを受電装置の対応ポート内に正確に挿入できるため、転送ケーブル構造の使用利便性を向上できる。
【００２８】
以上の述べたことにつき、ただ実施例を挙げて種々説明したが、これに限定されるものではなく、本考案の精神及び範囲から離れることなく、種々の改良変更をなし得ることは、添付されている実用新案登録請求の範囲に含めるものであるのが勿論である。
【符号の説明】
【００２９】
１            転送ケーブル構造
１１            第１コネクタ
１１１          本体部
１１２          接続部
１１３          回路基板
１２            ケーブル
１２Ａ          第１端
１２Ｂ          第２端
１２１          導線
１２２          線状の導光体
１３            第２コネクタ
１４            制御回路
１４１          カウンター
１４２          コンパレーター
１４３          充放電回路
１５            発光回路
２            給電装置
３            受電装置
【図１】
0003213161.tif 000003
【図２】
0003213161.tif 000004
【図３】
0003213161.tif 000005
【図４】
0003213161.tif 000006
【図５】
0003213161.tif 000007